(57)【特許請求の範囲】
【請求項１】
第１アーム（１０）の柄（１４）の上部と第２アーム（２０）の柄（２４）の上部とを軸（２）により回動自在に軸支し、
先端に設けた押圧部（１２）が斜め下方であって前記第１アーム（１０）の柄（１４）側に向かうように該柄（１４）の上部より略逆Ｕ字状の湾曲部（１１）を一体に形成し、
先端に設けた押圧部（２２）が前記第１アーム（１０）の押圧部（１２）に対向するように前記第２アーム（２０）の柄（２４）の上部より略Ｕ字状の湾曲部（２１）を一体に形成し、
前記押圧部（１２）（２２）の先端面が接触ないし近接した状態の前記第１アーム（１０）と第２アーム（２０）を閉じた状態では、第１アーム（１０）の柄（１４）と第２アーム（２０）の柄（２４）とは重なり合った形態であり、
前記第２アーム（２０）の押圧部（２２）の厚みを湾曲部（２１）の厚みより厚く形成し、第２アーム（２０）を開けた際に該第２アーム（２０）の押圧部（２２）を前記第１アーム（１０）の柄（１４）の側面に付勢して、第１アーム（１０）に対して第２アーム（２０）を保持可能としていることを特徴とするハンディあんま機。
【請求項２】
第１アーム（１０）の押圧部（１２）と、第２アーム（２０）の押圧部（２２）との対向位置を上下方向にずらせていることを特徴とする請求項１記載のハンディあんま機。
【請求項３】
両押圧部（１２）（２２）の先端面には突起（３１）を多数設けていることを特徴とする請求項１または請求項２にいずれか記載のハンディあんま機。
【発明の詳細な説明】
【０００１】
【発明の属する技術分野】
本発明は、手動で自己の身体を指圧したり、揉み動作ができるようにしたハンディあんま機に関するものである。
【０００２】
【従来の技術】
現在、市場には多種多様な按摩機、マッサージ機、指圧機と呼ばれる機械あるいは用具が提供されている。これらは電気式のマッサージ機等の機械と、手動式の按摩機等の用具に大別される。電気式のマッサージ機は高価で大型であり、なかなか購入し難いものである。また、電気式のマッサージ機を購入しても部屋に置き場所がなかったり、しかも、マッサージ機を使用するのに常に電源を必要とする。そのため、マッサージ機の使用毎に電気代もかかることになる。
また、電気式でも小型で安価なものも提供されている。例えば、片手で持って使用するものであり、バイブレータ式やモータを内蔵した電動式のマッサージ用具である。しかしながら、これらのマッサージ用具も電池を電源としているので、使用する毎に電池代が必要となる。
【０００３】
そこで、高価な電気式のマッサージ機の代わりに、安価な手動式の按摩機も提供されている。これらの安価な手動式の按摩機ないしマッサージ用具として、例えば、特開平２−９５３６７号公報、特開平１１−７６３３１号公報、実開昭５９−２６６２３号公報、実開昭５９−１８３２３８号公報、実開昭６０−７３５５０号公報、実開昭６２−２０２８３９号公報が挙げられる。
【０００４】
【発明が解決しようとする課題】
上記の高価な電気式のマッサージ機においても、指圧動作は可能であるものの、例えば、肩などの施療部を掴んで揉むという動作ができないという問題がある。また、上記特開平２−９５３６７号公報では、指圧動作と揉み動作が可能なものの、手動式であるにも関わらず構成部品が多く、構成が複雑であるという問題を有している。
また、上記特開平１１−７６３３１号公報にあっては、構成が簡素ではあるものの、指圧動作ができず、揉み動作のみであり、また、支点が２箇所あるために、揉み動作がしずらいという問題がある。
【０００５】
さらに、上記実開昭５９−２６６２３号公報では、揉み動作が可能なものの、指圧動作ができず、しかも、支点が３箇所あり、構成がやや複雑であるという問題がある。また、実開昭５９−１８３２３８号公報においては、両手で揉みほぐす動作が可能なものの、施療部位は主に首であって、肩を揉みほぐす動作は不可能である。また、支点も２箇所あり、そのため、両側の柄を持って首を押圧しないと効き目が片方のみとなり、使い勝手が悪いという問題も有している。
さらに、実開昭６０−７３５５０号公報にあっては、構成が簡単で支点も１箇所であるものの、背中を指圧することは不可能な構成となっている。また、実開昭６２−２０２８３９号公報においても、構成が簡単で支点も１箇所で首の指圧ないし揉み動作は可能なものの、自分で肩を掴んで揉むという動作ができないという問題がある。
【０００６】
このように、構造が簡素でコストも安いマッサージ用具は提供されているものの、指圧動作が出来なかったり、揉み動作も首だけ、肩だけであって、身体の全体にわたって指圧や掴み揉み動作ができないのが現状である。
【０００７】
本発明は上述の点に鑑みて提供したものであって、自分自身で身体の全体にわたって指圧や掴み揉み動作ができ、しかも、構造が簡素でコストを安価したハンディあんま機を提供することを目的としているものである。
【０００８】
【課題を解決するための手段】
そこで、本発明の請求項１記載のハンディあんま機では、第１アーム１０の柄１４の上部と第２アーム２０の柄２４の上部とを軸２により回動自在に軸支し、先端に設けた押圧部１２が斜め下方であって前記第１アーム１０の柄１４側に向かうように該柄１４の上部より略逆Ｕ字状の湾曲部１１を一体に形成し、先端に設けた押圧部２２が前記第１アーム１０の押圧部１２に対向するように前記第２アーム２０の柄２４の上部より略Ｕ字状の湾曲部２１を一体に形成し、前記押圧部１２、２２の先端面が接触ないし近接した状態の前記第１アーム１０と第２アーム２０を閉じた状態では、第１アーム１０の柄１４と第２アーム２０の柄２４とは重なり合った形態であり、前記第２アーム２０の押圧部２２の厚みを湾曲部２１の厚みより厚く形成し、第２アーム２０を開けた際に該第２アーム２０の押圧部２２を前記第１アーム１０の柄１４の側面に付勢して、第１アーム１０に対して第２アーム２０を保持可能としていることを特徴としている。
【０００９】
かかる構成とすることで、軸２による支点が１つで、第１アーム１０と第２アーム２０の２つの部材からなって構造が非常に簡素化され、掴み揉み動作においても一方の手で第１アーム１０を持ち、他方の手で第２アーム２０を持って軸２を支点として第２アーム２０、もしくは第１アーム１０と第２アーム２０とを揺動させることで、対向する両押圧部１２、２２が施療部位を効果的に掴み揉み動作を行ない、これにより、簡単な操作で施療部位を心地良くマッサージすることができる。また、第１アーム１０、第２アーム２０の上部で支点としているので、テコの原理が働き、少しの力で掴み揉み動作を行なうことができる。さらに、首、肩、背中、胴部、脚、足、腕、手のひらも容易に掴み揉みができ、しかも、手動のため、電池や電気などのランニングコストが不要であり、非常に使い勝手が良い。
また、前記第２アーム２０の押圧部２２の厚みを湾曲部２１の厚みより厚く形成し、第２アーム２０を開けた際に該第２アーム２０の押圧部２２を前記第１アーム１０の柄１４の側面に付勢して、第１アーム１０に対して第２アーム２０を保持可能としているので、第２アーム２０を第１アーム１０に保持させた状態で、第１アーム１０を持って該第１アーム１０の押圧部１２により身体の任意の施療部位に指圧を行なうことができる。特に、第２アーム２０を第１アーム１０に保持させることができるので、第２アーム２０が邪魔にならず、全身のどの部位でも指圧を行なうことができる。
【００１０】
請求項２記載のハンディあんま機では、第１アーム１０の押圧部１２と、第２アーム２０の押圧部２２との対向位置を上下方向にずらせていることを特徴としている。
【００１１】
これにより、あたかも人の指で掴み揉み動作のようなマッサージを行なうことができ、一層効果的な掴み揉み動作を行なうことができる。
【００１２】
請求項３記載のハンディあんま機では、両押圧部１２、２２の先端面には突起３１を多数設けていることを特徴としている。
【００１３】
これにより、押圧部１２、２２で施療部位の衣服の上から押しても突起３１により横方向に滑りにくく、確実に施療部位の位置決めができ、さらに、突起３１が施療部位を押圧し、よりきめ細かい掴み揉みや指圧を行なうことができる。
【００１４】
【発明の実施の形態】
以下、本発明の実施の形態を図面を参照して詳細に説明する。図１は本発明のハンディあんま機１を示し、このハンディあんま機１は、第１アーム１０と、第２アーム２０の２部材で構成しており、構造を非常に簡素化したものである。第１アーム１０と第２アーム２０とは上部で軸２により揺動自在に連結されている。
【００１５】
第１アーム１０の上部は略Ｕ字状に湾曲された湾曲部１１を形成しており、この湾曲部１１の先端に身体を押圧する押圧部１２を設けている。また、第１アーム１０の柄１４の下部は一方の手で持つ把持部１３としている。第２アーム２０も第１アーム１０とは基本的には同様の構成であり、第２アーム２０の上部は略Ｖ字状または略Ｕ字状に湾曲した湾曲部２１を形成しており、この湾曲部２１の先端に身体を押圧する押圧部２２を形成している。また、第２アーム２０の柄２４の下部は他方の手で持つ把持部２３としている。
なお、第２アーム２０の柄２４の長さは第１アーム１０の柄１４の長さより短く形成されている。これは第１アーム１０の把持部１３を一方の手で持った際に、第２アーム２０の把持部２３を他方の手で持って該第２アーム２０を回動させ易いようにしているためである。もちろん、第１アーム１０の柄１４と第２アーム２０の柄２４の長さを同じにしても良い。
【００１６】
身体の筋肉等の掴み揉み動作を行なわしめるために、第１アーム１０の押圧部１２の先端面と、第２アーム２０の押圧部２２の先端面とは対向するようにする必要がある。そのため、図１（ａ）に示すように、第１アーム１０の湾曲部１１を第２アーム２０側に位置するように折曲ないし傾斜させている。これにより、押圧部１２、２２の先端面を対向させて、掴み揉み動作を容易にしている。なお、第２アーム２０の湾曲部２１を第１アーム１０側に折曲させるようにしても良い。
【００１７】
図１（ｂ）は第１アーム１０と第２アーム２０を閉じた状態を示し、この状態では押圧部１２、２２の先端面は接触ないし近接した状態となっている。そして、図１（ｃ）に示すように、一方の手で第１アーム１０を持ち、他方の手で第２アーム２０を持って軸２を支点として図中矢印イに示すように回動させると、それに応じて湾曲部２１つまり押圧部２２が図中矢印ロに示すように回動し、第１アーム１０の押圧部１２の先端面に対して第２アーム２０の押圧部２２の先端面が近づいたり遠ざかったりして、両押圧部１２、２２により掴み揉み動作が行なわれる。
【００１８】
ここで、図１（ｃ）に示すように、両アーム１０、２０を相対的に回動させて通常の身体の掴み揉み動作における両押圧部１２、２２間の距離は、首、肩、胴部、脚のももなどを挟むことができる寸法としている。
また、第２アーム２０の押圧部２２を最も広げた状態として本発明では、図４（ｂ）に示すように、押圧部２２が第１アーム１０の位置に来たときまでとしている。この状態は後述する指圧動作の場合の状態を示している。
【００１９】
ハンディあんま機１の材料として、例えば、木製、プラスチック、アルミニウムなどで構成して軽量化を図っている。また、第１アーム１０、第２アーム２０は共に偏平な板状で形成しているが、円柱状で形成しても良い。
また、押圧部１２、２２は第１アーム１０、第２アーム２０の先端を加工して一体に形成しても良く、別部材として例えば、ゴム、プラスチック、皮、木製で形成するようにしても良い。なお、この場合は先端面を閉塞した箱状の押圧部１２、２２となり、この押圧部１２、２２が湾曲部１１、２１の先端に装着されることになる。さらに、押圧部１２、２２の先端面の大きさは、手の親指大としている。これは、ちょうど人間の手で按摩をしてもらって気分爽快となるためであり、また、身体のツボを押さえるのに、親指大がちょうどよく効くからである。もちろん、親指大より少々大きかったり、小さかったりしても良い。
【００２０】
また、押圧部１２、２２の先端面には、図５（ａ）に示すように格子状にスリット３０が入れてあり、このスリット３０により図５（ｂ）に示すように多数の突起３１を形成している。この突起３１により指圧効果、マッサージ効果を向上させている。また、突起３１により押圧部１２、２２で衣服の上から押圧しても横方向に滑りにくく、施療部位の位置決めを確実に行なうことができる。
なお、図５（ｂ）では突起３１の先端面を平坦面としているが、図５（ｃ）に示すように突起３１を略三角形状にして、やや尖らすようにしても良い。また、押圧部１２、２２の先端面には上記を突起３１を形成せずに、先端側に湾曲する面状にするようにしても良い。
【００２１】
次に、このハンディあんま機１を用いて掴み揉み動作について説明する。図２は肩を按摩する場合を示しており、先ず、一方の手で第１アーム１０を持ち、他方の手で第２アーム２０を持って広げる。そして、第１アーム１０の押圧部１２の先端面を肩の背面に当てて、その状態で第１アーム１０を保持する。
この状態で第２アーム２０を軸２を支点として図中矢印に示すように上下させることで、第２アーム２０の押圧部２２の先端面が肩の前面を押圧する。この場合、第２アーム２０を閉じるだけで、押圧部１２、２２が相対的に揺動するので、掴み揉み動作を効果的に行なうことができる。また、もちろん第１アーム１０と第２アーム２０との両方を閉じる動作を行なっても、両押圧部１２、２２が肩の筋肉を掴んで揉む動作が行なわれる。
【００２２】
かかる掴み揉み動作において、第１アーム１０と第２アーム２０の支点は、軸２の１つだけなので、操作し易く、両押圧部１２、２２の位置ズレが生じず、その掴み揉みしたい場所で効率良くマッサージを行なうことができる。また、掴み揉み動作においては、第１アーム１０と第２アーム２０の上部に支点を設けて、この支点である軸２から押圧部１２、２２までの距離は短いので、テコの原理が働き、そのため、少しの力で掴み揉み動作を行なうことができる。さらに、自分自身が行なうので、掴み揉みの強弱も自由に加減することができる。
【００２３】
また、図２の場合では、肩の掴み揉みの場合を示しているが、首、腰、臀部、脚のももから爪先まで、さらに腕の付け根から手の平も同様に行なうことができる。腕を掴み揉みする場合、座った状態で第１アーム１０の下部を脚の上に置き、第２アーム２０を他方の手で持って上下させることで、容易にマッサージ（掴み揉み）を行なうことができる。
【００２４】
次に、ハンディあんま機１を用いて指圧を行なう場合について説明する。図３は第２アーム２０を第１アーム１０側に固定した状態を示しており、この固定方法について先ず説明する。図４（ｂ）は同じ状態を示し、第２アーム２０を第１アーム１０に対して広げていくと、第２アーム２０の押圧部２２の側面が第１アーム１０の側面に接触する。
図４（ａ）はこの状態を横から見た図であり、押圧部２２が第１アーム１０の柄１４の側面に乗り上げる形で係止されることになる。図示するように、第２アーム２０の湾曲部２１の厚みより押圧部２２の厚みの方が厚く形成されているので、押圧部２２が柄１４の側面に乗り上げると、湾曲部２１が軸２を中心にして撓んで浮き上がり、押圧部２２が柄１４の側面を付勢する。これにより、第２アーム２０は第１アーム１０に対して図４（ｂ）に示すような形で固定ないし保持されることになる。
【００２５】
なお、図６（ａ）は図４（ａ）の拡大図を示しており、湾曲部２１が側方に撓もうとする力が働き、これにより、第２アーム２０が保持される。しかし、この場合、強い力が働くので、長期に使用により湾曲部２１が破損する恐れがある。そこで、図６（ｂ）に示すように、第１アーム１０の柄１４の側面に横方向全長にわたって溝３３を形成するようにしても良い。
この溝３３の深さは、押圧部２２が第１アーム１０の側面に付勢して湾曲部２１が少し撓んで第２アーム２０が保持される深さである。
【００２６】
上記のようにして第２アーム２０を第１アーム１０に保持させて、図３に示すように、第１アーム１０の把持部１３を両手で持ち、第１アーム１０の押圧部１２の先端面を肩や背中の背面の任意の施療部位に接触させる。そして、図中矢印の方向に第１アーム１０を引くと、押圧部１２により所定の部位の指圧を行なうことができる。
図３の場合では、肩の指圧の場合を示しているが、身体のどこでも指圧することができる。この指圧の場合でも自分自身で行なっているので、強弱も自由に加減できるのは言うまでもない。
【００２７】
なお、図２や図３では、ハンディあんま機１を肩の上方から使用しているが、体の横方向からも使用でき、任意の部位に施療が容易にできるものである。
【００２８】
（第２の実施の形態）
図７及び図８は第２の実施形態を示し、対向する両押圧部１２、２２に上下方向に段差を設けたものである。これにより、図８に示すように、押圧部１２、２２による掴み揉み動作の際に、施療部位の両側から段差を設けて押圧するので、ちょうど人間の指で上下にひねりながら揉み動作を行なうような感じとなり、先のハンディあんま機１とは異なる揉み効果、あるいはそれ以上の揉み効果を与える。
図７では、押圧部１２を下側とし、押圧部２２を上側としているが、押圧部１２を上側、押圧部２２を下側となるようにしても良い。
【００２９】
なお、押圧部１２、２２に上下の段差を付与する場合に、第２アーム２０の湾曲部２１の長さを変えて構成しても良く、また、軸２を挿通する軸穴（図示せず）を２箇所、あるいは複数箇所穿孔しておき、第２アーム２０の支点の位置を変えることで、押圧部１２、２２間に段差を設けるようにしても良い。
【００３０】
このように、本発明のハンディあんま機１では、２つの第１、第２アーム１０、２０でもって１つの支点としていることで、構造が簡易となり、そのため、全体のコストを安価にすることができる。また、指圧、掴み揉み操作も簡単であり、効果は抜群である。しかも、掴み揉み動作も身体のほとんどの箇所（首、肩、腰、臀部、脚、足）ででき、また、指圧は全身に行なうことができる。
さらに、手動式なので、従来とは異なり、電池、電気などのランニングコストが不要であり、非常に使い勝手が良いものである。
【００３１】
（第３の実施の形態）
先の２つの実施形態に共通して言えることであるが、ハンディあんま機１の長期にわたって使用していると、第１アーム１０と第２アーム２０とを回動自在に軸支している軸２の部分が緩んでくる恐れがある。軸２の部分が緩んでくると、第２アーム２０の押圧部２２を第１アーム１０の柄１４に係止しようとしても、係止できず、第２アーム２０を第１アーム１０に保持できなくなる。すると指圧動作が行なうことができなくなる。
【００３２】
そこで、図９に示すように、第１アーム１０の湾曲部１１に穴４１を穿孔し、第２アーム２０の湾曲部１１の上縁に上部を開口した切り欠き部４０を形成するようにしたものである。
すなわち、軸２の部分が緩んで第２アーム２０を第１アーム１０に保持できない場合には、穴４１に紐あるいはゴムを挿通し、この挿通した紐、あるいはゴムの他方を切り欠き部４０に引っ掛けるようにする。これにより、第２アーム２０を第１アーム１０側に保持できて、指圧動作もスムーズに行なうことができるものである。
【００３３】
なお、図９の構成は、図１及び図７に示すハンディあんま機１に適用できるものである。
【００３４】
【発明の効果】
本発明の請求項１記載のハンディあんま機によれば、軸による支点が１つで、第１アームと第２アームの２つの部材からなって構造が非常に簡素化され、そのため、安価なハンディあんま機を提供することができる。また、掴み揉み動作においても一方の手で第１アームを持ち、他方の手で第２アームを持って軸を支点として第２アーム、もしくは第１アームと第２アームとを揺動させることで、対向する両押圧部が施療部位を効果的に掴み揉み動作を行ない、これにより、簡単な操作で施療部位を心地良くマッサージすることができる。また、第１アーム、第２アームの上部で支点としているので、テコの原理が働き、少しの力で掴み揉み動作を行なうことができる。さらに、首、肩、背中、胴部、脚、足、腕、手のひらも容易に掴み揉みができ、しかも、手動のため、電池や電気などのランニングコストが不要であり、非常に使い勝手が良い。
また、前記第２アームの押圧部の厚みを湾曲部の厚みより厚く形成し、第２アームを開けた際に該第２アームの押圧部を前記第１アームの柄の側面に付勢して、第１アームに対して第２アームを保持可能としているので、第２アームを第１アームに保持させた状態で、第１アームを持って該第１アームの押圧部により身体の任意の施療部位に指圧を行なうことができる。特に、第２アームを第１アームに保持させることができるので、第２アームが邪魔にならず、全身のどの部位でも指圧を行なうことができる。このように、本発明のハンディあんま機で、低コストにも関わらず、掴み揉み動作と指圧との両方を兼ね備えさせることができる。
【００３５】
請求項２記載のハンディあんま機によれば、第１アームの押圧部と、第２アームの押圧部との対向位置を上下方向にずらせているので、あたかも人の指で掴み揉み動作のようなマッサージを行なうことができ、一層効果的な掴み揉み動作を行なうことができる。
【００３６】
請求項３記載のハンディあんま機によれば、両押圧部の先端面には突起を多数設けているので、押圧部で施療部位の衣服の上から押しても突起により横方向に滑りにくく、確実に施療部位の位置決めができ、さらに、突起が施療部位を押圧して、よりきめ細かい掴み揉みや指圧を行なうことができる。
【図面の簡単な説明】
【図１】（ａ）は本発明の実施の形態のハンディあんま機の平面図である。
（ｂ）は本発明の実施の形態のハンディあんま機の正面図である。
（ｃ）は本発明の実施の形態の第２アームを開いた状態のハンディあんま機の正面図である。
【図２】本発明の実施の形態のハンディあんま機により肩を掴み揉み動作を行なっている場合の説明図である。
【図３】本発明の実施の形態のハンディあんま機により指圧動作を行なっている場合の説明図である。
【図４】（ａ）は本発明の実施の形態の第２アームを第１アームに保持させた状態の側面図である。
（ｂ）は本発明の実施の形態の第２アームを第１アームに保持させた状態の正面図である。
【図５】（ａ）は本発明の実施の形態の押圧部の拡大正面図である。
（ｂ）は本発明の実施の形態の押圧部の拡大断面図である。
（ｃ）は本発明の実施の形態の押圧部の他の例の拡大断面図である。
【図６】（ａ）は本発明の実施の形態の第２アームを第１アームに保持させた状態の要部拡大側面図である。
（ｂ）は本発明の実施の形態の第１アームに溝を形成して第２アームを第１アームに保持させた場合の要部拡大側面図である。
【図７】本発明の第２の実施の形態のハンディあんま機の正面図である。
【図８】本発明の第２の実施の形態の掴み揉み動作を行なっている状態の説明図である。
【図９】本発明の第３の実施の形態のハンディあんま機の概略正面図である。
【符号の説明】
１  ハンディあんま機
２  軸
１０  第１アーム
１１  湾曲部
１２  押圧部
２０  第１アーム
２１  湾曲部
２２  押圧部
３１  突起
【図１】
0003620827.tif 000002
【図２】
0003620827.tif 000003
【図３】
0003620827.tif 000004
【図４】
0003620827.tif 000005
【図５】
0003620827.tif 000006
【図６】
0003620827.tif 000007
【図７】
0003620827.tif 000008
【図８】
0003620827.tif 000009
【図９】
0003620827.tif 000010